(57)【要約】【課題】操作が容易であり、調節後の位置安定性も良好な椅子における座の前後摺動装置を提供する。【解決手段】脚柱の上端に取り付けた支基の左右に、ガイドレール１３を前後方向に設けるとともに、ガイドレール１３に、座７の左右下方に設けた可動レール２０を、前後摺動可能に取り付け、かつ前記左右のうちの少なくとも一方のガイドレール１３と可動レール２０に、互いに係合して座７を前後方向の任意の位置で摺動不能にするとともに、座７を上方に持ち上げることにより、前記係合が解除されて、座７を摺動可能とする係合手段３４、３６を設ける。【選択図】　　　　図５
2004065509.tif 000002
【特許請求の範囲】
【請求項１】
椅子における脚柱の上端に取り付けた支基の左右に、ガイドレールを前後方向に設けるとともに、前記ガイドレールに、座の左右下方に設けた可動レールを、それぞれ前後摺動可能に取り付け、かつ前記左右のうちの少なくとも一方のガイドレールと可動レールに、互いに係合して座を前後方向の任意の位置で摺動不能にするとともに、座を上方に持ち上げることにより、前記係合が解除されて、座を摺動可能とする係合手段を設けたことを特徴とする椅子における座の前後摺動装置。
【請求項２】
ガイドレールから上方に向けて、上端に大径頭部を有するガイドピンを突設するとともに、可動レールに前記ガイドピンが前後摺動可能に嵌合する長孔を設け、ガイドピンの大径頭部と可動レールとの間に装着したばねによって、可動レールをガイドレールに弾性的に圧接したことを特徴とする請求項１記載の椅子における座の前後摺動装置。
【請求項３】
ガイドレールに係合部、可動レールに前記係合部と係合する被係合部をそれぞれ設け、通常はガイドピンの大径頭部と可動レールとの間に装着したばねの付勢によって、前記係合部と被係合部とが係合してガイドレールに対する可動レールの前後方向の摺動が阻止され、座の前部を前記ばねの付勢力に抗して上方に持ち上げることにより、前記係合が解除されて座の前後方向の摺動が可能となるようにしたことを特徴とする請求項２記載の椅子における座の前後摺動装置。
【請求項４】
ガイドレールと可動レールの、前部と後部のそれぞれに係合部と被係合部からなる係合手段を設け、座の前部を持ち上げて、前後部の係合手段の係合を解除して、座の前後方向の位置を調節した後、再び前記係合手段の係合を行う場合、先に後部の係合手段を係合させることによって、前部における係合手段の係合を容易にするための位置決めがなされるようにしたことを特徴とする請求項１〜３項のいずれかに記載の椅子における座の前後摺動装置。
【請求項５】
ガイドピンの大径頭部と、可動レールとの間に装着した、ばねの下端に係止部を設けるとともに、可動レールの上面に、前記係止部と係止する被係止部を設け、これら係止部と被係止部とを係止させることによって、可動レールとガイドレール間の係合手段の係合を容易にするための位置決めがなされるようにしたことを特徴とする請求項１〜３項のいずれかに記載の椅子における座の前後摺動装置。
【発明の詳細な説明】
【０００１】
【発明の属する技術分野】
本発明は、椅子における座の前後摺動装置に関する。
【０００２】
【従来の技術】
背凭れに寄り掛かる座者の荷重により、背凭れが後傾し、それに連動して、座が前後動する椅子は公知である。
本願出願人は、近年のＯＡ機器の普及に対処して、たとえば机上のパソコンのキーボード使用時において、背凭れの後傾とは無関係に、背凭れや肘掛けに対する座の前後位置を微調節して、座者の座り心地を改善し、デスクワークの作業効率を向上させることを目的として、簡単な機構で、容易に座の前後位置の調節を行うことができる発明について、先に特許出願している（特開２００２−１３６３７６号）。
【０００３】
【発明が解決しようとする課題】
本発明は、前記目的と併せて、座の前後位置の調節を行う際に、その操作が容易であるとともに、調節後の位置を安定的に保持することができるようにした、椅子における座の前後摺動装置を提供することを目的とする。
【０００４】
【課題を解決するための手段】
本発明によると、上記課題は、次のようにして解決される。
（１）　椅子における脚柱の上端に取り付けた支基の左右に、ガイドレールを前後方向に設けるとともに、前記ガイドレールに、座の左右下方に設けた可動レールを、それぞれ前後摺動可能に取り付け、かつ前記左右のうちの少なくとも一方のガイドレールと可動レールに、互いに係合して座を前後方向の任意の位置で摺動不能にするとともに、座を上方に持ち上げることにより、前記係合が解除されて、座を摺動可能とする係合手段を設けたことを特徴とする椅子における座の前後摺動装置とする。
【０００５】
（２）　上記（１）項において、ガイドレールから上方に向けて、上端に大径頭部を有するガイドピンを突設するとともに、可動レールに前記ガイドピンが前後摺動可能に嵌合する長孔を設け、ガイドピンの大径頭部と可動レールとの間に装着したばねによって、可動レールをガイドレールに弾性的に圧接させる。
【０００６】
（３）　上記（２）項において、ガイドレールに係合部、可動レールに前記係合部と係合する被係合部をそれぞれ設け、通常は、ガイドピンの大径頭部と可動レールとの間に装着したばねの付勢によって、前記係合部と被係合部とが係合してガイドレールに対する可動レールの前後方向の摺動が阻止され、座の前部を前記ばねの付勢力に抗して上方に持ち上げることにより、前記係合が解除されて座の前後方向の摺動が可能となるようにする。
【０００７】
（４）　上記（１）項〜（３）項のいずれかにおいて、ガイドレールと可動レールの、前部と後部のそれぞれに係合部と被係合部からなる係合手段を設け、座の前部を持ち上げて、前後部の係合手段の係合を解除して、座の前後方向の位置を調節した後、再び前記係合手段の係合を行う場合、先に後部の係合手段を係合させることによって、前部における係合手段の係合を容易にするための位置決めがなされるようにする。
【０００８】
（５）　上記（１）項〜（３）項のいずれかにおいて、ガイドピンの大径頭部と、可動レールとの間に装着した、ばねの下端に係止部を設けるとともに、可動レールの上面に、前記係止部と係止する被係止部を設け、これら係止部と被係止部とを係止させることによって、可動レールとガイドレール間の係合手段の係合を容易にするための位置決めがなされるようにする。
【０００９】
【発明の実施の形態】
以下、本発明の実施の形態を、添付図面を参照して説明する。
図１、図２は、それぞれ、本発明の一実施形態の座の前後摺動装置を備える椅子の正面図、および側面図である。
また、図３は、図１におけるＩＩＩ〜ＩＩＩ線横断面図、図４、図５は、それぞれ図３におけるＩＶ〜ＩＶ線縦断面図、Ｖ〜Ｖ線縦断面図、図６は、図４におけるＶＩ〜ＶＩ線縦断面図である。
【００１０】
図１及び図２に示すように、この椅子は、先端部にキャスタ（１）が設けられた脚杆（２）を有する脚体（３）の中央に、ガススプリング（図示略）を備える伸縮式の脚柱（４）を立設し、脚柱（４）の上端に、支基（５）の後部を固着して形成されている。
支基（５）の内部には、背凭れ（６）及び座（７）の復帰用の付勢手段が設けられている。
【００１１】
支基（５）の両側壁（５ａ）（５ａ）より左右に突出する支軸（８）の両端部には、背凭れ（６）を支持する側面視ほぼＬ字状の左右１対の背凭れ支持杆（９）（９）の前端部に設けた左右方向を向く筒部（９ａ）（９ａ）が固嵌されており、背凭れ（６）及び背凭れ支持杆（９）（９）は、支軸（８）と一体となって、後下方に傾動し得るようになっている。
左右の背凭れ支持杆（９）の下部における前向部の中間には、肘掛け（１０）が、起立させて設けられている。
【００１２】
左右の背凭れ支持杆（９）における筒部（９ａ）と肘掛け（１０）との中間部には、上向きの座支持杆（１１）が、一体的に設けられている。
【００１３】
前記各座支持杆（１１）の上端部外側面には、横杆（１２）で互いに連結された前後方向を向く左右１対のガイドレール（１３）の後端部が、左右方向を向く軸（１４）をもって連結されている。
【００１４】
前記左右のガイドレール（１３）（１３）の前端部は、支基（５）の両側壁（５ａ）（５ａ）の前部に設けられた外向きの筒部（１５）（１５）の外側に枢着された、上下方向を向く左右の支持リンク（１６）（１６）の上端部内側面に、左右方向を向く横軸（１７）をもって連結されている。このように、ガイドレール（１３）の前後端を支持する座支持杆（１１）と支持リンク（１６）の２つの支持金具の中、一方の支持金具をガイドレール（１３）の内側側面に当接し、他方の支持金具をガイドレール（１３）の外側側面に当接させて支持してある。
【００１５】
前記支持リンク（１６）の下端部は、前記筒部（１５）の外側に、左右方向を向く横軸（１８）をもって枢着され、かつ筒部（１５）内に設けたねじりコイルばねにより、図２における反時計回りに付勢されている。
【００１６】
背凭れ（６）及び背凭れ支持杆（９）（９）を、支軸（８）を中心として後下方に傾動させると、そのときの背凭れ支持杆（９）（９）と一体の座支持杆（１１）（１１）の後傾により、座（７）の後部は後下方に移動させられ、かつそれに連動して、座（７）の前部も、左右の支持リンク（１６）（１６）が、ねじりコイルばねの付勢力に抗して、後傾することにより、若干後下方に移動させられるようになっている。
【００１７】
左右のガイドレール（１３）（１３）には、座（７）の下面より突設した短寸の脚座（１９）（１９）をもって、前後の端部が固着され、座（７）から離間した前後方向を向く左右１対の可動レール（２０）（２０）が装着されている。
【００１８】
図４に示すように、座（７）の前後端の下面より突設した短寸の脚座（１９）（１９）の下面には、可動レール（２０）の前後端部が、図示を省略したボルトによって固着されている。
【００１９】
図３におけるＩＶ〜ＩＶ線縦断面図である図４、および図４におけるＶＩ〜ＶＩ線縦断面図である図６に示すように、可動レール（２０）の前部および後部には、それぞれ前後方向に長い凹部（２２）（２３）が設けられ、これら凹部（２２）（２３）の底面（２４）（２５）には、凹部（２２）（２３）の左右幅よりも小さい幅で、凹部（２２）（２３）の長さよりもやや短い長さの前後方向の長孔（２６）（２７）が設けられている。
【００２０】
一方、ガイドレール（１３）の上面（１３ａ）における、前記前後の長孔（２６）（２７）に対応する位置には、上端に大径頭部（２８ａ）（２９ａ）を有するガイドピン（２８）（２９）が上方に向けて突設され、このガイドピン（２８）（２９）は、前記長孔（２６）（２７）に、前後方向に摺動可能に嵌合し、ガイドピン（２８）（２９）の大径頭部（２８ａ）（２９ａ）は、可動レール（２０）の上面（２０ａ）とほぼ同じ高さに位置している。
【００２１】
ガイドピン（２８）（２９）の軸部（２８ｂ）（２９ｂ）には、前記長孔（２６）（２７）の左右幅よりも径の大きいワッシャー（３０）（３１）が嵌められ、このワッシャー（３０）（３１）の上面と、前記大径頭部（２８ａ）（２９ａ）の下面との間の軸部（２８ｂ）（２９ｂ）には、コイルばね（３２）（３３）が装着され、これらコイルばね（３２）（３３）によって、可動レール（２０）がガイドレール（１３）に弾性的に圧接されている。
【００２２】
また、図２、図３におけるＶ〜Ｖ線縦断面図である図５、および図６に示すように、ガイドレール（１３）の上面（１３ａ）における、前記前後のガイドピン（２８）（２９）のそれぞれ左右には、係合突起（３４）（３５）が設けられている。
【００２３】
一方、可動レール（２０）の下面（２０ｂ）における、前記長孔（２６）（２７）の左右には、それぞれ前記係合突起（３４）（３５）と係合する、左右方向の被係合凹部（３６）（３７）が前後方向に複数個、設けられている。
【００２４】
前記被係合凹部（３６）（３７）は、可動レール（２０）の前部と後部において、同じ数が同じ間隔で設けられている。
【００２５】
通常は、前記コイルばね（３２）（３３）の付勢によって、可動レール（２０）は、ガイドレール（１３）に圧接されているため、係合突起（３４）（３５）と被係合凹部（３６）（３７）が係合しており、ガイドレール（１３）に対する可動レール（２０）の前後方向の摺動が阻止され、可動レール（２０）と一体となっている座（７）の前後方向の位置は、安定的に固定されている。
【００２６】
座（７）の前後方向の位置を調節したい場合には、座（７）の前部を、コイルばね（３２）（３３）の付勢力に抗して上方に持ち上げることにより、係合手段である係合突起（３４）（３５）と被係合凹部（３６）（３７）との係合が解除され、可動レール（２０）がガイドレール（１３）に対して前後方向に摺動自在となる。
【００２７】
そのため、座（７）を所望とする前後位置に移動させた後に、持ち上げていた座（７）を元の高さに戻すことにより、その新たな前後位置において、係合突起（３４）（３５）と被係合凹部（３６）（３７）が再び係合し、座（７）の位置が固定される。
【００２８】
なお、ガイドレール（１３）における前部の係合突起（３４）は、側面視を台形状のものとして、被係合凹部（３６）との係合の安定性を図るとともに、係合解除のために、座（７）の前部を持ち上げて、座（７）を傾斜させた場合において、座（７）の後部近傍は、わずか程度しか上方に移動しないため、後部の係合突起（３５）と被係合凹部（３７）との係合の解除を容易とする目的で、後部の係合突起（３５）は、側面視を半球状のものとしてある。
【００２９】
すなわち、後部の係合突起（３５）を、側面視において半球状のものとすることにより、座（７）の前部を持ち上げて、前部における係合突起（３４）と被係合凹部（３６）との係合を解除した後、座（７）を前方に引張ることにより、後部の係合突起（３５）と被係合凹部（３７）との係合は、被係合凹部（３７）が、側面視が半球状の係合突起（３５）を容易に乗り越えて、両者の係合が簡単に解除され、座（７）の前後方向の移動が可能となる。
【００３０】
また、後部の係合突起（３５）を、側面視において半球状のものとすることにより、座（７）の前後方向の位置を調節した後に、前部を持ち上げていた座（７）を、元の高さに戻して、係合突起（３４）（３５）と被係合凹部（３６）（３７）とを再び係合させようとする場合に、後部の係合突起（３５）が側面視において半球状であるため、後部の被係合凹部（３７）と容易に係合し、前部の係合突起（３４）と被係合凹部（３６）とが係合し得る位置に、座（７）を移動させるための位置決めの作用もする。
【００３１】
図７は、本発明の別の実施形態を示し、図５に相当する図である。
【００３２】
前記実施形態の場合と同様に、可動レール（３８）の前部に前後方向の長孔（３９）が設けられ、この長孔（３９）に、ガイドレール（４０）の上面（４０ａ）に突設された、大径頭部（４１ａ）を有するガイドピン（４１）が、前後方向に摺動可能に嵌合されている。
【００３３】
可動レール（３８）の上面（３８ａ）における、前記長孔（３９）の左右両側の部分は、前後方向の波形に形成されている。
【００３４】
一方、前記ガイドピン（４１）には、大径頭部（４１ａ）の下面（４１ｂ）をもって下向きに押圧された、板ばね（４２）が装着されており、この板ばね（４２）によって、可動レール（３８）がガイドレール（４０）に弾性的に圧接されている。すなわち、前記板ばね（４２）は、図８に斜視図を示すように、側面視において山形をなし、その前後両下端が下向きの弧状をなし、平面視において中央に通孔（４２ａ）を有する形状のものである。
【００３５】
ガイドピン（４１）の軸部（４１ｃ）を前記通孔（４２ａ）に挿通し、板ばね（４２）における前後両下端の下向きの弧状部（３２ｂ）（３２ｂ）を、可動レール（３８）の上面（３８ａ）の波状部（３８ｂ）に当接し、板ばね（４２）の頂部上面（４２ｃ）を、ガイドピン（４１）における大径頭部（４１ａ）の下面（４１ｂ）で下向きに押圧することにより、可動レール（３８）がガイドレール（４０）に弾性的に圧接されている。
【００３６】
ガイドレール（４０）の上面（４０ａ）における、ガイドピン（４１）の左右には、係合突起（４３）が設けられている。
【００３７】
一方、可動レール（３８）の下面（３８ｃ）における、前記長孔（３９）の左右には、前記係合突起（４３）と係合する左右方向の被係合凹部（４４）が、前後方向に複数個設けられている。
【００３８】
通常は、前記板ばね（４２）の付勢によって、可動レール（３８）は、ガイドレール（４０）に圧接されているため、係合突起（４３）と被係合凹部（４４）が係合しており、ガイドレール（４０）に対する可動レール（３８）の前後方向の摺動が阻止され、可動レール（３８）と一体となっている座（４５）の前後方向の位置は、安定的に固定されている。
【００３９】
座（４５）の前後方向の位置を調節したい場合は、座（４５）の前部を板ばね（４２）の付勢力に抗して上方に持ち上げることにより、係合突起（４３）と被係合凹部（４４）との係合が解除され、可動レール（３８）がガイドレール（４０）に対して前後方向に摺動自在となる。
【００４０】
そのため、座（４５）を所望とする前後位置に移動させた後に、持ち上げていた座（４５）を元の高さに戻すことにより、その新たな前後位置において、係合突起（４３）と被係合凹部（４４）が再び係合し、座（４５）の位置が固定される。
【００４１】
なお、本実施形態においては、係合手段は、ガイドレール（４０）および可動レール（３８）の前部のみに設けられており、後部には設けられていない。
【００４２】
前の実施形態において、後部の係合手段が有していた、座（４５）の前後位置を調節した後に再び係合させる際の位置決めの機能は、本実施形態においては、板ばね（４２）が可動レール（３８）の上面（３８ａ）における波状部（３８ｂ）と係合することによって行われる。
【００４３】
【発明の効果】
本発明によれば、下記の効果が奏せられる。
（１）　請求項１記載の発明によれば、座を持ち上げるだけで、ガイドレールと可動レールとの係合が解除されるとともに、座を元の高さに戻すことによって、再び前記係合がなされるため、簡単な操作によって容易に座を所望の前後位置に調節することができる。
【００４４】
（２）　請求項２記載の発明によれば、ガイドレールに対する可動レールの位置安定性が良好であるとともに、ばねの付勢力に抗して座を持ち上げることにより、可動レールがガイドレールに対して前後方向に摺動可能となり、座の前後位置を容易に調節することができる。
【００４５】
（３）　請求項３記載の発明によれば、上記（２）項と同様な効果が奏せられる。
【００４６】
（４）　請求項４記載の発明によれば、座の前部を持ち上げて前後位置を調節した後に、座を元の高さに戻して、再びガイドレールと可動レール間の係合手段の係合を行う際に、前記係合がなされる位置に、座の前後位置が自動的に微調節されるため、手数を要しないで容易に係合させることができる。
【００４７】
（５）　請求項５記載の発明によれば、上記（４）項と同様な効果が奏せられる。
【図面の簡単な説明】
【図１】本発明の一実施形態の座の前後摺動装置を備える椅子の正面図である。
【図２】同じく、側面図である。
【図３】図１におけるＩＩＩ〜ＩＩＩ線横断面図である。
【図４】図３におけるＩＶ〜ＩＶ線縦断面図である。
【図５】図３におけるＶ〜Ｖ線縦断面図である。
【図６】図４におけるＶＩ〜ＶＩ線縦断面図である。
【図７】本発明の座の前後摺動装置の別の実施形態を示し、図５に相当する図である。
【図８】本発明に用いる板ばねの斜視図である。
【符号の説明】
（１）キャスター
（２）脚杆
（３）脚体
（４）脚柱
（５）支基
（５ａ）側壁
（６）背凭れ
（７）座
（８）支軸
（９）背凭れ支持杆
（９ａ）筒部
（１０）肘掛け
（１１）座支持杆
（１２）横杆
（１３）ガイドレール
（１３ａ）上面
（１４）軸
（１５）筒部
（１６）支持リンク
（１７）（１８）横軸
（１９）脚座
（２０）可動レール
（２０ａ）上面
（２０ｂ）下面
（２２）（２３）凹部
（２４）（２５）底面
（２６）（２７）長孔
（２８）（２９）ガイドピン
（２８ａ）（２９ａ）大径頭部
（２８ｂ）（２９ｂ）軸部
（３０）（３１）ワッシャー
（３２）（３３）コイルばね
（３４）（３５）係合突起
（３６）（３７）被係合凹部
（３８）可動レール
（３８ａ）上面
（３８ｂ）波状部
（３８ｃ）下面
（３９）長孔
（４０）ガイドレール
（４０ａ）上面
（４１）ガイドピン
（４１ａ）大径頭部
（４１ｂ）下面
（４１ｃ）軸部
（４２）板ばね
（４２ａ）通孔
（４２ｂ）弧状部
（４２ｃ）頂部上面
（４３）係合突起
（４４）被係合凹部
（４５）座
【図１】
2004065509.tif 000003
【図２】
2004065509.tif 000004
【図３】
2004065509.tif 000005
【図４】
2004065509.tif 000006
【図５】
2004065509.tif 000007
【図６】
2004065509.tif 000008
【図７】
2004065509.tif 000009
【図８】
2004065509.tif 000010